(57)【特許請求の範囲】
【請求項１】
リール本体に支持されたスプールと、
上記リール本体に回転可能に支持されるとともに、上記スプールの後方に位置された後端部を有するロータ本体と、上記ロータ本体を間に挟んで向かい合う一対のアーム部と、これらアーム部に取り外し可能に固定されて、上記アーム部を外側から覆う一対のカバーと、を有するロータと、
上記ロータ本体の後端部の外周部分に装着されたプロテクターと、
上記ロータのアーム部に設けられ、釣糸を上記スプールの外周面に巻回可能に案内する釣糸案内装置と、を具備した魚釣用スピニングリールであって、
上記プロテクターは、上記ロータ本体の後端部と上記カバーの後端部との間に介在された第１の挾持部および第２の挾持部と、これら第１の挾持部と第２の挾持部との間に跨るとともに、上記ロータ本体の後端部の外周部分を覆う中間部と、を含み、
上記プロテクターの上記第１の挾持部および上記第２の挾持部は、夫々上記カバーの後端部に向けて突出されて上記カバーの後端部に係合された第１の係合凸部と、上記ロータ本体の後端部の外周部分に向けて突出されて上記ロータ本体の後端部に係合された第２の係合凸部と、を有し、
上記ロータ本体の後端部と上記カバーの後端部との間で上記プロテクターの上記第１の挾持部および上記第２の挾持部を挟み込むことで、上記プロテクターが上記ロータ本体に固定されていることを特徴とする魚釣用スピニングリール。
【請求項２】
請求項１の記載において、上記プロテクターの第１および第２の挾持部と上記カバーの後端部は、夫々上記ロータ本体の後方に露出する後面を有し、上記ロータ本体の後端部の後面、上記カバーの後端部の後面および上記プロテクターの第１および第２の挾持部の後面は、互いに同一平面上に位置されていることを特徴とする魚釣用スピニングリール。
【請求項３】
請求項１又は請求項２の記載において、上記カバーの後端部は、上記プロテクターの上記第１の係合凸部が係合された第１の係合部を有することを特徴とする魚釣用スピニングリール。
【請求項４】
請求項３の記載において、上記ロータ本体の後端部の外周部分は、上記プロテクターの上記第２の係合凸部が係合された第２の係合部を有することを特徴とする魚釣用スピニングリール。
【請求項５】
請求項４の記載において、上記プロテクターは、上記各カバーを上記アーム部にねじを介して締め付け固定することで、上記ロータ本体に保持されていることを特徴とする魚釣用スピニングリール。
【発明の詳細な説明】
【技術分野】
【０００１】
本発明は、スプールに釣糸を巻き付けるロータを有する魚釣用スピニングリールに係り、特にロータの後端部の外周部分にプロテクターを取り付けるための構造に関する。
【背景技術】
【０００２】
魚釣用スピニングリールは、スプールと、このスプールに対して回転可能なロータとを備えている。ロータは、リール本体に支持された円筒状のロータ本体を有し、このロータ本体に釣糸をスプールの外周面に巻き付けるベールアーム機構が設けられている。
【０００３】
この種の魚釣用スピニングリールでは、スプールがロータ本体の外側に被さっており、ロータ本体のフランジ状をなす後端部がスプールとリール本体との間に位置している。このロータ本体の後端部は、ベールアーム機構によって保護されることなく魚釣用スピニングリールの外方に直接露出している。
【０００４】
したがって、ロータ本体の後端部は、例えば釣場を移動したり、あるいは実際に釣をしている時に、釣場の岩や石と干渉して傷付くことがある。ロータ本体に傷が付くと、ロータ本体の強度が低下したり、腐食の原因となるといった問題がある。
【０００５】
この対策として、従来、ロータ本体の後端部の外周部分にプロテクターを装着し、ロータ本体の後端部の傷付きを防止するようにした魚釣用スプニングリールが知られている（例えば、特許文献１参照）。
【０００６】
特許文献１によると、プロテクターは、ベールアーム機構のベールとは反対側に位置するとともに、ロータ本体の後端部の外周部分に沿うように円弧状に湾曲している。このプロテクターは、係止用爪部をロータ本体に引っ掛けるとともに、両端部をねじを介してロータ本体に締め付け固定することで、ロータ本体の後端部に一体的に保持されている。
【特許文献１】特開２００３−２７４８１６号公報（図３、図４）
【発明の開示】
【発明が解決しようとする課題】
【０００７】
特許文献１に開示された魚釣用スピニングリールによると、プロテクターをロータ本体に固定する専用のねじを必要とし、このねじの分だけ部品点数が増える。それとともに、プロテクターをロータ本体に装着したり、ロータ本体から取り外す度にドライバーのような工具を用いてねじを回す面倒な作業を強いられることになり、作業工数が増える。この結果、魚釣用スピニングリールの製造コストの増大を招く要因となる。
【０００８】
さらに、工具を用いてねじを回す時に、誤って工具でプロテクターに傷を付ける虞があり得るとともに、ねじの頭がプロテクターの上に露出するのを避けられず、外観的な面においても今一歩改善の余地が残されている。
【０００９】
本発明の目的は、プロテクターを専用のねじを用いることなくロータ本体に固定できる魚釣用スピニングリールを得ることにある。
【課題を解決するための手段】
【００１０】
上記目的を達成するため、本発明の一つの形態に係る魚釣用スピニングリールは、
リール本体に支持されたスプールと、
上記リール本体に回転可能に支持されるとともに、上記スプールの後方に位置された後端部を有するロータ本体と、上記ロータ本体を間に挟んで向かい合う一対のアーム部と、これらアーム部に取り外し可能に固定されて、上記アーム部を外側から覆う一対のカバーと、を有するロータと、
上記ロータ本体の後端部の外周部分に装着されたプロテクターと、
上記ロータのアーム部に設けられ、釣糸を上記スプールの外周面に巻回可能に案内する釣糸案内装置と、を備えている。
【００１１】
上記プロテクターは、上記ロータ本体の後端部と上記カバーの後端部との間に介在された第１の挾持部および第２の挾持部と、これら第１の挾持部と第２の挾持部との間に跨るとともに、上記ロータ本体の後端部の外周部分を覆う中間部と、を含んでおり、
上記プロテクターの上記第１の挾持部および上記第２の挾持部は、夫々上記カバーの後端部に向けて突出されて上記カバーの後端部に係合された第１の係合凸部と、上記ロータ本体の後端部の外周部分に向けて突出されて上記ロータ本体の後端部に係合された第２の係合凸部と、を有し、
上記ロータ本体の後端部と上記カバーの後端部との間で上記プロテクターの上記第１の挾持部および上記第２の挾持部を挟み込むことで、上記プロテクターが上記ロータ本体に固定されていることを特徴としている。
【発明の効果】
【００１２】
本発明によれば、プロテクターをロータ本体に固定する専用のねじが一切不要となる。このため、部品点数を削減できるとともに、プロテクターをロータ本体に装着したり、ロータ本体から取り外す際の作業性を改善することができ、ロータの製造コストを低減できる。
【００１３】
さらに、プロテクターをロータ本体に固定した時に、プロテクターの上にねじの頭が露出することはない。したがって、プロテクターとロータ本体との一体感が高まるとともに、プロテクターをロータ本体に対し着脱する時に、工具によるプロテクターの傷付きを防止でき、ロータ回りの外観を良好に維持することができる。
【発明を実施するための最良の形態】
【００１４】
以下本発明の第１の実施の形態を、図１ないし図８に基づいて説明する。
【００１５】
図１は、魚釣用スピニングリール１を開示している。魚釣用スピニングリール１は、金属又は樹脂製のリール本体２を備えている。リール本体２は、上向きに延びる脚部３を有し、この脚部３の上端部に竿取り付け部４が形成されている。竿取り付け部４は、図示しない釣竿のリールシートに固定される
リール本体２の前部にロータ５およびスプール６が同軸状に設けられている。ロータ５は、リール本体２に回転可能に支持されている。スプール６は、釣糸を巻き付ける小径部６ａと、この小径部６ａの後方に位置する大径部６ｂとを有している。スプール６は、リール本体２の前後方向に往復動可能にリール本体２に支持されている。
【００１６】
リール本体２の内部にロータ５を回転させる巻き取り駆動機構と、スプール６を往復動させるオシレート機構とが収容されている。巻き取り駆動機構およびオシレート機構は、リール本体２の側方に位置するハンドル７に連動している。このため、釣人がハンドル７を手で回すと、オシレート機構を介してスプール６がリール本体２の前後方向に往復動するとともに、巻き取り駆動機構を介してロータ５が回転するようになっている。
【００１７】
ロータ５は、例えばマグネシウム合金のような超軽量高強度の金属材料で造られている。図２ないし図４に示すように、ロータ５は、スプール６の大径部６ｂが同軸状に被さるロータ本体１０と、一対のアーム部１１ａ，１１ｂとを有している。ロータ本体１０は、リール本体２の後方に向けて開口する中空の円筒状をなしている。ロータ本体１０は、スプール６の大径部６ｂとリール本体２との間に位置する後端部１２を有している。後端部１２は、ロータ本体１０の外周面から径方向外側に向けてフランジ状に張り出すとともに、ロータ本体１０の周方向に連続している。
【００１８】
アーム部１１ａ，１１ｂは、ロータ本体１０に一体に形成されている。アーム部１１ａ，１１ｂは、ロータ本体１０の後端部１２からリール本体２の前方に向けて突出している。アーム部１１ａ，１１ｂは、ロータ本体１０を間に挟んで互いに向かい合っており、これらアーム部１１ａ，１１ｂの間にスプール６の大径部６ｂが位置している。各アーム部１１ａ，１１ｂの外側面に、側方に突出するボス部１３が一体に形成されている。ボス部１３は、ねじ孔１３ａを有している。
【００１９】
図１に示すように、アーム部１１ａ，１１ｂの先端部は、スプール６の小径部６ａと大径部６ｂとの境界部分に位置している。アーム部１１ａ，１１ｂの先端部の間に釣糸案内装置１４が取り付けられている。釣糸案内装置１４は、スプール６の小径部６ａに釣糸を案内するためのものであり、一対のアームレバー１５（一方のみを図示）、ラインローラ１６およびベール１７を備えている。
【００２０】
アームレバー１５は、アーム部１１ａ，１１ｂの先端に回動可能にねじ止めされている。ラインローラ１６は、一方のアームレバー１５に取り付けられている。ベール１７は、ラインローラ１６と他方のアームレバー１５との間に跨っており、スプール６の小径部６ａの外側に位置している。
【００２１】
釣糸案内装置１４は、釣糸を巻き取る第１の位置と、釣糸を投出する第２の位置との間で回動可能となっている。図１は、釣糸案内装置１４が第１の位置に回動した状態を開示している。この第１の位置では、ベール１７がスプール６の小径部６ａを外側から覆うように小径部６ａの下方に円弧状に張り出している。
【００２２】
図４および図６に示すように、ロータ本体１０の後端部１２は、フラットな後面１９を有している。後面１９は、ロータ本体１０の後方に露出するとともに、ロータ本体１０の周方向に沿うリング状をなしている。
【００２３】
さらに、ロータ本体１０の後端部１２の外周部分は、アーム部１１ａ，１１ｂよりも上方に位置する円弧状の領域２０を有している。この領域２０は、釣糸案内装置１４が第１の位置に回動されている時に、ベール１７に対しロータ５を間に挟んだ反対側に位置している。
【００２４】
ロータ本体１０の後端部１２の領域２０に、ロータ本体１０の周方向に沿う係止凹部２２が形成されている。係止凹部２２は、ロータ本体１０の後面１９から一段凹む底面２２ａと、この底面２２ａの外周縁からロータ本体１０の軸方向に延びる外周面２２ｂとを有し、ロータ本体１０の後方および上方に向けて開放するような形状をなしている。
【００２５】
係止凹部２２は、第１の端部２３ａと第２の端部２３ｂとを備えている。第１の端部２３ａは、一方のアーム部１１ａの後端上部に連なるとともに、第２の端部２３ｂは、他方のアーム部１１ｂの後端上部に連なっている。
【００２６】
図４に示すように、アーム部１１ａ，１１ｂは、夫々ロータ５の外側からカバー２４，２５によって覆われている。カバー２４，２５は、例えば合成樹脂製であり、その外表面が意匠的効果を高めるメッキ層で覆われている。
【００２７】
カバー２４，２５は、例えばアルミニウム合金製のねじ２６を介してアーム部１１ａ，１１ｂに固定されている。ねじ２６は、アーム部１１ａ，１１ｂから突出するボス部１３のねじ孔１３ａにねじ込まれている。このねじ込みにより、カバー２４，２５の外周縁がアーム部１１ａ，１１ｂの外周縁に突き当たっている。
【００２８】
各カバー２４，２５は、その後端にアーム部１１ａ，１１ｂの後方に回り込む後面２７を有している。カバー２４，２５の後面２７は、カバー２４，２５をアーム部１１ａ，１１ｂに固定した時に、アーム部１１ａ，１１ｂの後端部を後方から覆うとともに、ロータ本体１０の後面１９と同一平面上に位置している。
【００２９】
さらに、各カバー２４，２５の後面２７の上端部に逃げ部２８が形成されている。逃げ部２８は、ロータ本体１０の後端部１２の外周部分から遠ざかるように切り欠かれているとともに、係止凹部２２の第１および第２の端部２３ａ，２３ｂと向かい合っている。
【００３０】
図２ないし図６に示すように、ロータ本体１０の後端部１２の領域２０にプロテクター３０が取り付けられている。プロテクター３０は、例えば合成樹脂製であり、その外表面が意匠的効果を高めるメッキ層で覆われている。
【００３１】
プロテクター３０は、第１の挟持部３１ａ、第２の挟持部３１ｂおよび中間部３２を有している。第１の挟持部３１ａは、ロータ本体１０の後端部１２の外周部分と一方のカバー２４の逃げ部２８との間に介在されている。第２の挟持部３１ｂは、ロータ本体１０の後端部１２の外周部分と他方のカバー２５の逃げ部２８との間に介在されている。中間部３２は、第１の挟持部３１ａと第２の挟持部３１ｂとの間に跨るとともに、ロータ本体１０の後端部１２の外周部分に沿うように円弧状に湾曲している。中間部３２は、ロータ本体１０の係止凹部２２に取り外し可能に嵌め込まれて、この係止凹部２２の底面２２ａおよび外周面２２ｂを連続して覆っている。
【００３２】
図４および図６に最もよく示されるように、プロテクター３０の第１および第２の挟持部３１ａ，３１ｂは、夫々第１の係合凸部３３および第２の係合凸部３４を有している。第１の係合凸部３３は、第１および第２の挟持部３１ａ，３１ｂの外面からカバー２４，２５の後端の逃げ部２８に向けて突出している。第２の係合凸部３４は、第１および第２の挟持部３１ａ，３１ｂの内面からロータ本体１０の後端部１２の外周部分に向けて突出している。
【００３３】
図５、図７および図８に示すように、カバー２４，２５の後端の逃げ部２８に夫々係合凹部３５が形成されている。係合凹部３５は、第１の係合部の一例であり、カバー２４，２５の逃げ部２８の縁に開口している。係合凹部３５は、プロテクター３０の第１の係合凸部３３に対応するものであり、この係合凹部３５に第１の係合凸部３３が引っ掛かるようになっている。
【００３４】
さらに、ロータ本体１０の後端部１２の外周部分に一対の係合孔３６が形成されている。係合孔３６は、第２の係合部の一例であり、係止凹部２２を間に挟んでロータ本体１０の周方向に振り分けられている。係合孔３６は、プロテクター３０の第２の係合凸部３４に対応するものであり、この係合孔３６に第２の係合凸部３４が引っ掛かるようになっている。
【００３５】
プロテクター３０は、ロータ本体１０の後方に露出する後面３７を有している。後面３７は、プロテクター３０の第１の挟持部３１ａ、第２の挟持部３１ｂおよび中間部３２に連続して形成されており、プロテクター３０をロータ本体１０の係止凹部２２に嵌め込んだ時に、ロータ本体１０の後面１９と同一平面上に位置するようになっている。
【００３６】
プロテクター３０の第１の挟持部３１ａは、カバー２４をアーム部１１ａに固定した時に、このカバー２４の後端の逃げ部２８とロータ本体１０の後端部１２の外周部分との間で挟み込まれる。同様に、プロテクター３０の第２の挟持部３１ｂは、カバー２５をアーム部１１ｂに固定した時に、このカバー２５の後端の逃げ部２８とロータ本体１０の後端部１２の外周部分との間で挟み込まれる。
【００３７】
この結果、プロテクター３０の第１の係合凸部３３とカバー２４，２５の係合凹部３５との係合が維持されるとともに、プロテクター３０の第２の係合凸部３４とロータ本体１０の係合孔３６との係合が維持される。
【００３８】
したがって、ロータ本体１０の後端部１２、プロテクター３０およびカバー２４，２５の相対的な位置が精度良く定まるとともに、プロテクター３０がロータ本体１０の係止凹部２２に固定されるようになっている。
【００３９】
さらに、プロテクター３０をロータ本体１０に固定した状態では、ロータ本体１０の後端部１２の後面１９、カバー２４，２５の後面２７およびプロテクター３０の後面３７が同一平面上に位置している。そのため、図８に示すように、三つの後面１９，２７，３７は、段差を有することなく面一に連続している。
【００４０】
プロテクター３０は、カバー２４，２５をアーム部１１ａ，１１ｂに固定する以前にロータ本体１０の後端部１２に装着される。
【００４１】
具体的に述べると、プロテクター３０は、第２の係合凸部３４をロータ本体１０の係合孔３６に位置合わせした状態でロータ本体１０の係止凹部２２に嵌め込む。これにより、第２の係合凸部３４が係合孔３６に引っ掛かり、ロータ本体１０の後端部１２に対するプロテクター３０の位置が定まる。それとともに、ロータ本体１０の軸方向および周方向へのプロテクター３０の移動が制限され、このプロテクター３０がロータ本体１０の後端部１２に仮止めされる。
【００４２】
次に、一方のアーム部１１ａの外側面にカバー２４を重ね合わせ、このカバー２４をねじ２６でアーム部１１ａに固定する。この固定により、カバー２４の逃げ部２８の縁がプロテクター３０の第１の挟持部３１ａの縁に突き当たり、この第１の挟持部３１ａをロータ本体１０の後端部１２の外周部分との間で挟み込む。
【００４３】
次に、他方のアーム部１１ｂの外側面にカバー２５を重ね合わせ、このカバー２５をねじ２６でアーム部１１ｂに固定する。この固定により、カバー２５の逃げ部２８の縁がプロテクター３０の第２の挟持部３１ｂの縁に突き当たり、この第２の挟持部３１ｂをロータ本体１０の後端部１２の外周部分との間で挟み込む。
【００４４】
このことにより、プロテクター３０が一対のカバー２４，２５を介してロータ本体１０の後端部１２の領域２０を覆うように固定され、この領域２０がプロテクター３０によって保護される。
【００４５】
このような構成の魚釣用スピニングリール１によれば、ロータ本体１０の後端部１２を保護するプロテクター３０は、アーム部１１ａ，１１ｂを覆うカバー２４，２５とロータ本体１０の後端部１２の外周部分との間で挟み込むことで、ロータ本体１０に固定される。このため、プロテクター３０をロータ本体１０に固定する専用のねじ類が一切不用となり、ロータ５の部品点数を削減できる。
【００４６】
それとともに、プロテクター３０をカバー２４，２５と一緒にロータ本体１０に固定できるので、プロテクター３０をロータ本体１０に固定する独立した工程を排除でき、ロータ５の組み立て工数を削減することができる。したがって、プロテクター３０をロータ本体１０に固定したり、ロータ本体１０から取り外す際の作業性を改善することができ、魚釣用スピニングリール１の製造コストを低減することができる。
【００４７】
しかも、プロテクター３０をロータ本体１０に固定した時に、プロテクター３０の上にねじの頭が露出することはない。そのため、プロテクター３０とロータ本体１０との一体感が高まるとともに、プロテクター３０をロータ本体１０に固定したり、ロータ本体１０から取り外す時に、工具によるプロテクター３０の傷付きを防止できる。よって、ロータ５の外観を良好に維持することができる。
【００４８】
さらに、上記構成によれば、ロータ本体１０の後面１９、カバー２４，２５の後面２７およびプロテクター３０の後面３７が同一平面上に位置するので、ロータ本体１０、カバー２４，２５およびプロテクター３０の境界部分に段差が生じることはない。よって、この境界部分に埃やヌメリのような異物が付着し難くなり、魚釣用スピニングリール１の外観を良好に維持することができる。
【００４９】
加えて、上記構成によると、プロテクター３０の第１の係合凸部３３がカバー２４，２５の係合凹部３５に引っ掛かるので、プロテクター３０とカバー２４，２５との相対的な位置が精度良く定まる。それとともに、プロテクター３０の第２の係合凸部３４がロータ本体１０の後端部１２の係合孔３６に引っ掛かるので、プロテクター３０とロータ本体１０との相対的な位置が精度良く定まる。
【００５０】
その上、プロテクター３０の第１および第２の挟持部３１ａ，３１ｂは、ロータ本体１０とカバー２４，２５との間で挟み込まれるだけではなくて、ロータ本体１０およびカバー２４，２５に個々に引っ掛かるので、プロテクター３０をロータ本体１０の後端部１２に確実に固定できる。
【００５１】
よって、プロテクター３０、ロータ本体１０およびカバー２４，２５との一体感が向上し、魚釣用スピニングリール１の外観を良好に維持する上で好都合となる。
【００５２】
本発明は、上記第１の実施の形態に特定されるものではない。図９〜図１１は、本発明と関連性を有する参考例を開示している。
【００５３】
この参考例は、プロテクター３０をロータ本体１０とカバー２４，２５との間で挟み込む部分の構成が上記第１の実施の形態と相違しており、それ以外の魚釣用スピニングリール１の基本的な構成は、第１の実施の形態と同様である。そのため、参考例において、第１の実施の形態と同一の構成部分には同一の参照符号を付して、その説明を省略する。
【００５４】
図９に示すように、プロテクター３０の第１および第２の挟持部３１ａ，３１ｂは、ロータ本体１０の係合孔３６に引っ掛かる係合凸部３４のみを有している。このため、第１および第２の挟持部３１ａ，３１ｂおよびカバー２４，２５は、互いに引っ掛かり合う構成要素を有しておらず、カバー２４，２５の逃げ部２８の縁が単に第１および第２の挟持部３１ａ，３１ｂの縁に突き当たるに止まっている。
【００５５】
このような構成においても、プロテクター３０の第１および第２の挟持部３１ａ，３１ｂをロータ本体１０の後端部１２とカバー２４，２５との間で挟み込んで固定することができる。そのため、プロテクター３０をロータ本体１０に固定する専用のねじ類を省略することができ、上記第１の実施の形態と同様の効果が得られる。
【００５６】
しかも、第１の実施の形態との比較において、第１および第２の挟持部３１ａ，３１ｂの形状を簡略化することができ、プロテクター３０のコストを低減できる。
【００５７】
なお、カバーおよびプロテクターは合成樹脂製に限らず、例えばアルミニウム合金あるいはマグネシウム合金のような金属製としてもよい。
【図面の簡単な説明】
【００５８】
【図１】本発明の第１の実施の形態に係る魚釣用スピニングリールの側面図。
【図２】本発明の第１の実施の形態に係るロータの斜視図。
【図３】本発明の第１の実施の形態において、プロテクターを装着したロータの斜視図。
【図４】本発明の第１の実施の形態において、ロータ本体、プロテクターおよびカバーの相対的な位置関係を分解して示すロータの斜視図。
【図５】本発明の第１の実施の形態において、ロータ本体、プロテクターおよびカバーの相対的な位置関係を示すロータの背面図。
【図６】本発明の第１の実施の形態において、ロータ本体とプロテクターとを互いに分離した状態を示すロータの背面図。
【図７】図５のＦ７部を拡大して示す背面図。
【図８】図７のＦ８−Ｆ８線に沿う断面図。
【図９】本発明と関連性を有する参考例において、ロータ本体、プロテクターおよびカバーの相対的な位置関係を示すロータの背面図。
【図１０】図９のＦ１０部を拡大して示す背面図。
【図１１】図１０のＦ１１−Ｆ１１線に沿う断面図。
【符号の説明】
【００５９】
１…魚釣用スピニングリール、２…リール本体、５…ロータ、６…スプール、１０…ロータ本体、１１ａ，１１ｂ…アーム部、１２…後端部、１４…釣糸案内装置、２４，２５…カバー、３０…プロテクター、３１ａ…第１の挾持部、３１ｂ…第２の挾持部、３２…中間部、３３…第１の係合凸部、３４…第２の係合凸部。
【図１】
0004709019.tif 000002
【図２】
0004709019.tif 000003
【図３】
0004709019.tif 000004
【図４】
0004709019.tif 000005
【図５】
0004709019.tif 000006
【図６】
0004709019.tif 000007
【図７】
0004709019.tif 000008
【図８】
0004709019.tif 000009
【図９】
0004709019.tif 000010
【図１０】
0004709019.tif 000011
【図１１】
0004709019.tif 000012